(57)【特許請求の範囲】
【請求項１】
複数のウェブサーバと１つのドキュメント変換サーバとからなり、携帯端末により前記ウェブサーバ上の文書データを閲覧させる文書閲覧システムであって、
前記ウェブサーバは、
文書データを管理する文書データ管理手段と、
前記携帯端末が閲覧可能なウェブページであって、前記文書データ管理手段で管理されている文書データの識別情報を含む文書リンクが埋め込まれたウェブページを提供するウェブページ提供手段と、
前記携帯端末から前記ウェブページに埋め込まれた文書リンクを介して前記文書データ管理手段で管理されている文書データの閲覧要求があると、該携帯端末の機種情報を取得するとともに、前記閲覧要求のあった文書データを前記文書データ管理手段から取得する情報取得手段と、
前記取得した携帯端末の機種情報及び文書データを前記ドキュメント変換サーバに送信する手段と、を備え、
前記ドキュメント変換サーバは、
文書データを閲覧用画像データに変換するための変換情報を携帯端末の機種毎に管理する変換情報管理手段と、
前記ウェブサーバから前記携帯端末の機種情報及び文書データを受信する手段と、
前記受信した携帯端末の機種情報に基づいて前記変換情報管理手段から対応する変換情報を読み出し、読み出した変換情報に基づいて前記受信した文書データを前記携帯端末での閲覧用画像データに変換する文書データ変換手段と、
前記変換した閲覧用画像データを前記携帯端末に送信する画像データ送信手段と、
携帯端末の機種毎に文書閲覧用アプリケーションを管理する文書閲覧用アプリケーション管理手段と、
前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、
前記画像データ送信手段は、前記文書閲覧用アプリケーションを受信した携帯端末での閲覧操作に応じて、該文書閲覧用アプリケーションから閲覧要求される閲覧用画像データを送信することを特徴とする文書閲覧システム。
【請求項２】
複数のウェブサーバと１つのドキュメント変換サーバとからなり、携帯端末により前記ウェブサーバ上の文書データを閲覧させる文書閲覧システムであって、
前記ウェブサーバは、
文書データを該文書データの識別情報に関連付けて管理する文書データ管理手段と、
前記携帯端末が閲覧可能なウェブページであって、前記文書データ管理手段で管理されている文書データの識別情報を含む文書リンクが埋め込まれたウェブページを提供するウェブページ提供手段と、
前記携帯端末から前記ウェブページに埋め込まれた文書リンクを介して前記文書データ管理手段で管理されている文書データの閲覧要求があると、該携帯端末の機種情報及び閲覧要求された文書データの識別情報を取得する情報取得手段と、
前記取得した携帯端末の機種情報及び文書データの識別情報を前記ドキュメント変換サーバに送信する手段と、を備え、
前記ドキュメント変換サーバは、
文書データを閲覧用画像データに変換するための変換情報を携帯端末の機種毎に管理する変換情報管理手段と、
前記文書データを閲覧用画像データに変換する文書データ変換手段であって、前記変換情報管理手段により携帯端末の機種毎に管理されている変換情報に基づいて各携帯端末に対応する閲覧用画像データに変換する文書データ変換手段と、
前記変換された閲覧用画像データを前記携帯端末の機種情報及び文書データの識別情報に関連付けて管理する画像データ管理手段と、
前記携帯端末からウェブサーバで管理されている文書データに対する閲覧要求があると、該携帯端末の機種情報及び前記文書データの識別情報を、前記ウェブサーバを介して受信する手段と、
前記受信した携帯端末の機種情報及び文書データの識別情報に基づいて前記画像データ管理手段から対応する閲覧用画像データを読み出し、前記携帯端末に送信する画像データ送信手段と、
携帯端末の機種毎に文書閲覧用アプリケーションを管理する文書閲覧用アプリケーション管理手段と、
前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、
前記画像データ送信手段は、前記文書閲覧用アプリケーションを受信した携帯端末での閲覧操作に応じて、該文書閲覧用アプリケーションから閲覧要求される閲覧用画像データを送信することを特徴とする文書閲覧システム。
【請求項３】
複数のウェブサーバと１つのドキュメント変換サーバとからなり、携帯端末により前記ウェブサーバ上の文書データを閲覧させる文書閲覧システムであって、
前記ウェブサーバは、
前記文書データを該文書データの識別情報に関連付けて管理する文書データ管理手段と、
前記携帯端末が閲覧可能なウェブページであって、前記文書データ管理手段で管理されている文書データの識別情報及び前記ドキュメント変換サーバへの接続情報を含む文書リンクが埋め込まれたウェブページを提供するウェブページ提供手段と、を備え、
前記ドキュメント変換サーバは、
文書データを閲覧用画像データに変換するための変換情報を携帯端末の機種毎に管理する変換情報管理手段と、
前記携帯端末から前記ウェブページに埋め込まれた文書リンクを介して前記ウェブサーバの文書データ管理手段で管理されている文書データに対する閲覧要求があると、該携帯端末の機種情報を受信するとともに、前記閲覧要求のあった文書データの識別情報を受信する手段と、
前記受信した文書データの識別情報に基づいて前記ウェブサーバの文書データ管理手段から対応する文書データを取得する文書データ取得手段と、
前記受信した携帯端末の機種情報に基づいて前記変換情報管理手段から対応する変換情報を読み出し、読み出した変換情報に基づいて前記取得した文書データを前記携帯端末での閲覧用画像データに変換する文書データ変換手段と、
前記変換した閲覧用画像データを前記携帯端末に送信する画像データ送信手段と、
携帯端末の機種毎に文書閲覧用アプリケーションを管理する文書閲覧用アプリケーション管理手段と、
前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、
前記画像データ送信手段は、前記文書閲覧用アプリケーションを受信した携帯端末での閲覧操作に応じて、該文書閲覧用アプリケーションから閲覧要求される閲覧用画像データを送信することを特徴とする文書閲覧システム。
【請求項４】
文書データを管理する文書データ管理手段と、携帯端末が閲覧可能なウェブページであって、前記文書データ管理手段で管理されている文書データの識別情報を含む文書リンクが埋め込まれたウェブページを提供するウェブページ提供手段と、前記携帯端末から前記ウェブページに埋め込まれた文書リンクを介して前記文書データ管理手段で管理されている文書データの閲覧要求があると、該携帯端末の機種情報を取得するとともに、前記閲覧要求のあった文書データを前記文書データ管理手段から取得する情報取得手段と、前記取得した携帯端末の機種情報及び文書データをドキュメント変換サーバに送信する手段とを備えた、複数のウェブサーバと通信する前記ドキュメント変換サーバであって、
該ドキュメント変換サーバは、
文書データを閲覧用画像データに変換するための変換情報を携帯端末の機種毎に管理する変換情報管理手段と、
前記ウェブサーバから携帯端末の機種情報及び文書データを受信する手段と、
前記受信した携帯端末の機種情報に基づいて前記変換情報管理手段から対応する変換情報を読み出し、読み出した変換情報に基づいて前記受信した文書データを前記携帯端末での閲覧用画像データに変換する文書データ変換手段と、
前記変換した閲覧用画像データを前記携帯端末に送信する画像データ送信手段と、
携帯端末の機種毎に文書閲覧用アプリケーションを管理する文書閲覧用アプリケーション管理手段と、
前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、
前記画像データ送信手段は、前記文書閲覧用アプリケーションを受信した携帯端末での閲覧操作に応じて、該文書閲覧用アプリケーションから閲覧要求される閲覧用画像データを送信することを特徴とするドキュメント変換サーバ。
【請求項５】
文書データを該文書データの識別情報に関連付けて管理する文書データ管理手段と、携帯端末が閲覧可能なウェブページであって、前記文書データ管理手段で管理されている文書データの識別情報を含む文書リンクが埋め込まれたウェブページを提供するウェブページ提供手段と、前記携帯端末から前記ウェブページに埋め込まれた文書リンクを介して前記文書データ管理手段で管理されている文書データの閲覧要求があると、該携帯端末の機種情報及び閲覧要求された文書データの識別情報を取得する情報取得手段と、前記取得した携帯端末の機種情報及び文書データの識別情報をドキュメント変換サーバに送信する手段とを備えた、複数のウェブサーバと通信する前記ドキュメント変換サーバであって、
該ドキュメント変換サーバは、
文書データを閲覧用画像データに変換するための変換情報を携帯端末の機種毎に管理する変換情報管理手段と、
前記文書データを携帯端末での閲覧用画像データに変換する文書データ変換手段であって、前記変換情報管理手段により携帯端末の機種毎に管理されている変換情報に基づいて各携帯端末に対応する閲覧用画像データに変換する文書データ変換手段と、
前記変換された閲覧用画像データを前記携帯端末の機種情報及び文書データの識別情報に関連付けて管理する画像データ管理手段と、
前記携帯端末から前記ウェブサーバで管理されている文書データに対する閲覧要求があると、該携帯端末の機種情報及び前記文書データの識別情報を、前記ウェブサーバを介して受信する手段と、
前記受信した携帯端末の機種情報及び文書データの識別情報に基づいて前記画像データ管理手段から対応する閲覧用画像データを読み出し、前記携帯端末に送信する画像データ送信手段と、
携帯端末の機種毎に文書閲覧用アプリケーションを管理する文書閲覧用アプリケーション管理手段と、
前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、
前記画像データ送信手段は、前記文書閲覧用アプリケーションを受信した携帯端末での閲覧操作に応じて、該文書閲覧用アプリケーションから閲覧要求される閲覧用画像データを送信することを特徴とするドキュメント変換サーバ。
【請求項６】
文書データを該文書データの識別情報に関連付けて管理する文書データ管理手段と、携帯端末が閲覧可能なウェブページであって、前記文書データ管理手段で管理されている文書データの識別情報及びドキュメント変換サーバへの接続情報を含む文書リンクが埋め込まれたウェブページを提供するウェブページ提供手段とを備えた、複数のウェブサーバと通信する前記ドキュメント変換サーバであって、
該ドキュメント変換サーバは、
文書データを閲覧用画像データに変換するための変換情報を携帯端末の機種毎に管理する変換情報管理手段と、
前記携帯端末から所定のウェブページを介して前記ウェブサーバで管理されている文書データに対する閲覧要求があると、該携帯端末の機種情報を受信するとともに、前記閲覧要求のあった文書データの識別情報を受信する手段と、
前記受信した文書データの識別情報に基づいて前記文書データを管理している前記ウェブサーバから対応する閲覧用文書データを取得する文書データ取得手段と、
前記受信した携帯端末の機種情報に基づいて前記変換情報管理手段から対応する変換情報を読み出し、読み出した変換情報に基づいて前記取得した文書データを前記携帯端末での閲覧用画像データに変換する文書データ変換手段と、
前記変換した閲覧用画像データを前記携帯端末に送信する画像データ送信手段と、
携帯端末の機種毎に文書閲覧用アプリケーションを管理する文書閲覧用アプリケーション管理手段と、
前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、
前記画像データ送信手段は、前記文書閲覧用アプリケーションを受信した携帯端末での閲覧操作に応じて、該文書閲覧用アプリケーションから閲覧要求される閲覧用画像データを送信することを特徴とするドキュメント変換サーバ。
【発明の詳細な説明】
【技術分野】
【０００１】
本発明は文書閲覧システム及びドキュメント変換サーバに係り、特に携帯端末で文書データの閲覧を可能にする技術に関する。
【背景技術】
【０００２】
従来、特許文献１に記載の発明のように携帯電話からHTML(Hypertext Markup Language）文書を閲覧する際に、HTML文書を携帯電話に最適化する技術は数多く見られる。
【０００３】
例えば、特許文献１には、分割した文書データの各ページに他のページへのリンクを示すリンク情報を付加すると共に、他のページの見出し、他のページにおける先頭の語句、あるいは他のページを代表する語句を付与する技術が記載されている。特許文献１の技術によれば、文書データが分割されている場合であっても、ユーザが文書データの閲覧を容易にできるようにしている。
【０００４】
また、HTML文書内にWord(ワード)、PDF(Portable Document Format)などの文書への文書リンクを設定することにより、パーソナルコンピュータ（ＰＣ）のブラウザ上から直接、Word、PDFなどの文書を閲覧、編集することは一般的になっている。
【先行技術文献】
【特許文献】
【０００５】
【特許文献１】特開２００２−３５１７３６号公報
【発明の概要】
【発明が解決しようとする課題】
【０００６】
しかしながら、携帯電話のように、Word、PDFなどの文書を閲覧、編集するために必要なソフトウェアがインストールされていない、もしくはインストールすることができない携帯端末では、HTML文書内の文書リンクから、これらの文書を閲覧することはできないという問題がある。
【０００７】
特許文献１に記載の発明においても、HTML文書内の文書リンクについては考慮していないため、携帯電話への最適化の実施後であっても、携帯電話ではHTML文書内の文書リンクからWord、PDFなどの文書を閲覧することができない。
【０００８】
本発明はこのような事情に鑑みてなされたもので、Word、PDFなどの文書を開くことができない携帯電話等の携帯端末に対して、種々の形式の文書を閲覧させることができる文書閲覧システム及びドキュメント変換サーバを提供することを目的とする。
【課題を解決するための手段】
【０００９】
前記目的を達成するために請求項１に係る発明は、複数のウェブサーバと１つのドキュメント変換サーバとからなり、携帯端末により前記ウェブサーバ上の文書データを閲覧させる文書閲覧システムであって、前記ウェブサーバは、文書データを管理する文書データ管理手段と、前記携帯端末が閲覧可能なウェブページであって、前記文書データ管理手段で管理されている文書データの識別情報を含む文書リンクが埋め込まれたウェブページを提供するウェブページ提供手段と、前記携帯端末から前記ウェブページに埋め込まれた文書リンクを介して前記文書データ管理手段で管理されている文書データの閲覧要求があると、該携帯端末の機種情報を取得するとともに、前記閲覧要求のあった文書データを前記文書データ管理手段から取得する情報取得手段と、前記取得した携帯端末の機種情報及び文書データを前記ドキュメント変換サーバに送信する手段と、を備え、前記ドキュメント変換サーバは、文書データを閲覧用画像データに変換するための変換情報を携帯端末の機種毎に管理する変換情報管理手段と、前記ウェブサーバから前記携帯端末の機種情報及び文書データを受信する手段と、前記受信した携帯端末の機種情報に基づいて前記変換情報管理手段から対応する変換情報を読み出し、読み出した変換情報に基づいて前記受信した文書データを前記携帯端末での閲覧用画像データに変換する文書データ変換手段と、前記変換した閲覧用画像データを前記携帯端末に送信する画像データ送信手段と、携帯端末の機種毎に文書閲覧用アプリケーションを管理する文書閲覧用アプリケーション管理手段と、前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、前記画像データ送信手段は、前記文書閲覧用アプリケーションを受信した携帯端末での閲覧操作に応じて、該文書閲覧用アプリケーションから閲覧要求される閲覧用画像データを送信することを特徴としている。
【００１０】
携帯電話等の携帯端末では、Word、PDFなどの文書を開くことができるものは数少ないが、殆どの携帯端末は、JPEG画像、GIF画像、PING画像、BMP画像等の画像のうちの１種類以上の画像を閲覧できる機能を備えている。
【００１１】
そこで、請求項１に係る発明では、ドキュメント変換サーバにより文書データを閲覧用画像データに変換して携帯端末に送信し、閲覧対象の文書を画像として閲覧できるようにしている。即ち、ウェブサーバ上の文書データに対する閲覧要求があると、その携帯端末の機種情報を取得するとともに、閲覧要求のあった文書データを文書データ管理手段から取得し、これらの情報をドキュメント変換サーバに送信する。ドキュメント変換サーバは、受信した携帯端末の機種情報に基づいて機種毎に管理されている変換情報を読み出し、この変換情報を基に文書データをその携帯端末に対して最適化した閲覧用画像データに変換し、これを携帯端末に送信するようにしている。これにより、文書を開く機能がない携帯端末であっても、また、どのような形式の文書データであっても閲覧可能となる。
また、文書閲覧用アプリケーションは、携帯端末のキャリア等に応じて異なるが、携帯端末の機種情報によりその携帯端末に対応する文書閲覧用アプリケーションを閲覧要求した携帯端末に提供する。この文書閲覧用アプリケーションが携帯端末にダウンロードされることにより、該携帯端末での文書閲覧操作（ページ送り、拡大／縮小、回転等）が可能になる。
【００１２】
請求項２に係る発明は、複数のウェブサーバと１つのドキュメント変換サーバとからなり、携帯端末により前記ウェブサーバ上の文書データを閲覧させる文書閲覧システムであって、前記ウェブサーバは、文書データを該文書データの識別情報に関連付けて管理する文書データ管理手段と、前記携帯端末が閲覧可能なウェブページであって、前記文書データ管理手段で管理されている文書データの識別情報を含む文書リンクが埋め込まれたウェブページを提供するウェブページ提供手段と、前記携帯端末から前記ウェブページに埋め込まれた文書リンクを介して前記文書データ管理手段で管理されている文書データの閲覧要求があると、該携帯端末の機種情報及び閲覧要求された文書データの識別情報を取得する情報取得手段と、前記取得した携帯端末の機種情報及び文書データの識別情報を前記ドキュメント変換サーバに送信する手段と、を備え、前記ドキュメント変換サーバは、文書データを閲覧用画像データに変換するための変換情報を携帯端末の機種毎に管理する変換情報管理手段と、前記文書データを閲覧用画像データに変換する文書データ変換手段であって、前記変換情報管理手段により携帯端末の機種毎に管理されている変換情報に基づいて各携帯端末に対応する閲覧用画像データに変換する文書データ変換手段と、前記変換された閲覧用画像データを前記携帯端末の機種情報及び文書データの識別情報に関連付けて管理する画像データ管理手段と、前記携帯端末からウェブサーバで管理されている文書データに対する閲覧要求があると、該携帯端末の機種情報及び前記文書データの識別情報を、前記ウェブサーバを介して受信する手段と、前記受信した携帯端末の機種情報及び文書データの識別情報に基づいて前記画像データ管理手段から対応する閲覧用画像データを読み出し、前記携帯端末に送信する画像データ送信手段と、携帯端末の機種毎に文書閲覧用アプリケーションを管理する文書閲覧用アプリケーション管理手段と、前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、前記画像データ送信手段は、前記文書閲覧用アプリケーションを受信した携帯端末での閲覧操作に応じて、該文書閲覧用アプリケーションから閲覧要求される閲覧用画像データを送信することを特徴としている。
【００１３】
請求項１に係る発明のドキュメント変換サーバは、携帯端末から文書データの閲覧要求があるごとにウェブサーバから文書データを取得し、その文書データから閲覧用画像データを生成しているが、請求項２に係る発明のドキュメント変換サーバは、事前に携帯端末の機種毎に各文書データの閲覧用画像データを作成して保存しておき、携帯端末から文書データの閲覧要求があると、ウェブサーバから閲覧要求のあった文書データの識別情報と携帯端末の機種情報を取得し、これらの情報に基づいて画像データ管理手段から対応する閲覧用画像データを読み出すようにしている。
【００１５】
請求項３に係る発明は、複数のウェブサーバと１つのドキュメント変換サーバとからなり、携帯端末により前記ウェブサーバ上の文書データを閲覧させる文書閲覧システムであって、前記ウェブサーバは、前記文書データを該文書データの識別情報に関連付けて管理する文書データ管理手段と、前記携帯端末が閲覧可能なウェブページであって、前記文書データ管理手段で管理されている文書データの識別情報及び前記ドキュメント変換サーバへの接続情報を含む文書リンクが埋め込まれたウェブページを提供するウェブページ提供手段と、を備え、前記ドキュメント変換サーバは、文書データを閲覧用画像データに変換するための変換情報を携帯端末の機種毎に管理する変換情報管理手段と、前記携帯端末から前記ウェブページに埋め込まれた文書リンクを介して前記ウェブサーバの文書データ管理手段で管理されている文書データに対する閲覧要求があると、該携帯端末の機種情報を受信するとともに、前記閲覧要求のあった文書データの識別情報を受信する手段と、前記受信した文書データの識別情報に基づいて前記ウェブサーバの文書データ管理手段から対応する文書データを取得する文書データ取得手段と、前記受信した携帯端末の機種情報に基づいて前記変換情報管理手段から対応する変換情報を読み出し、読み出した変換情報に基づいて前記取得した文書データを前記携帯端末での閲覧用画像データに変換する文書データ変換手段と、前記変換した閲覧用画像データを前記携帯端末に送信する画像データ送信手段と、携帯端末の機種毎に文書閲覧用アプリケーションを管理する文書閲覧用アプリケーション管理手段と、前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、前記画像データ送信手段は、前記文書閲覧用アプリケーションを受信した携帯端末での閲覧操作に応じて、該文書閲覧用アプリケーションから閲覧要求される閲覧用画像データを送信することを特徴としている。
【００１６】
請求項３に係る発明は、ウェブサーバから提供されるHTML文書などのウェブページに、文書データの識別情報及びドキュメント変換サーバへの接続情報が埋め込まれており、携帯端末からウェブページ上で文書データの閲覧要求が行われると、該携帯端末から直接、その文書データの識別情報等を有する閲覧要求がドキュメント変換サーバに送信される。ドキュメント変換サーバは、携帯端末から受信した文書データの識別情報に基づいてウェブサーバから対応する文書データを取得する。その後の処理は、請求項１に係る発明と同様である。
【００１９】
請求項４に係る発明は、文書データを管理する文書データ管理手段と、携帯端末が閲覧可能なウェブページであって、前記文書データ管理手段で管理されている文書データの識別情報を含む文書リンクが埋め込まれたウェブページを提供するウェブページ提供手段と、前記携帯端末から前記ウェブページに埋め込まれた文書リンクを介して前記文書データ管理手段で管理されている文書データの閲覧要求があると、該携帯端末の機種情報を取得するとともに、前記閲覧要求のあった文書データを前記文書データ管理手段から取得する情報取得手段と、前記取得した携帯端末の機種情報及び文書データをドキュメント変換サーバに送信する手段とを備えた、複数のウェブサーバと通信する前記ドキュメント変換サーバであって、該ドキュメント変換サーバは、文書データを閲覧用画像データに変換するための変換情報を携帯端末の機種毎に管理する変換情報管理手段と、前記ウェブサーバから携帯端末の機種情報及び文書データを受信する手段と、前記受信した携帯端末の機種情報に基づいて前記変換情報管理手段から対応する変換情報を読み出し、読み出した変換情報に基づいて前記受信した文書データを前記携帯端末での閲覧用画像データに変換する文書データ変換手段と、前記変換した閲覧用画像データを前記携帯端末に送信する画像データ送信手段と、携帯端末の機種毎に文書閲覧用アプリケーションを管理する文書閲覧用アプリケーション管理手段と、前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、前記画像データ送信手段は、前記文書閲覧用アプリケーションを受信した携帯端末での閲覧操作に応じて、該文書閲覧用アプリケーションから閲覧要求される閲覧用画像データを送信することを特徴としている。
【００２０】
請求項５に係る発明は、文書データを該文書データの識別情報に関連付けて管理する文書データ管理手段と、携帯端末が閲覧可能なウェブページであって、前記文書データ管理手段で管理されている文書データの識別情報を含む文書リンクが埋め込まれたウェブページを提供するウェブページ提供手段と、前記携帯端末から前記ウェブページに埋め込まれた文書リンクを介して前記文書データ管理手段で管理されている文書データの閲覧要求があると、該携帯端末の機種情報及び閲覧要求された文書データの識別情報を取得する情報取得手段と、前記取得した携帯端末の機種情報及び文書データの識別情報をドキュメント変換サーバに送信する手段とを備えた、複数のウェブサーバと通信する前記ドキュメント変換サーバであって、該ドキュメント変換サーバは、文書データを閲覧用画像データに変換するための変換情報を携帯端末の機種毎に管理する変換情報管理手段と、前記文書データを携帯端末での閲覧用画像データに変換する文書データ変換手段であって、前記変換情報管理手段により携帯端末の機種毎に管理されている変換情報に基づいて各携帯端末に対応する閲覧用画像データに変換する文書データ変換手段と、前記変換された閲覧用画像データを前記携帯端末の機種情報及び文書データの識別情報に関連付けて管理する画像データ管理手段と、前記携帯端末から前記ウェブサーバで管理されている文書データに対する閲覧要求があると、該携帯端末の機種情報及び前記文書データの識別情報を、前記ウェブサーバを介して受信する手段と、前記受信した携帯端末の機種情報及び文書データの識別情報に基づいて前記画像データ管理手段から対応する閲覧用画像データを読み出し、前記携帯端末に送信する画像データ送信手段と、携帯端末の機種毎に文書閲覧用アプリケーションを管理する文書閲覧用アプリケーション管理手段と、前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、前記画像データ送信手段は、前記文書閲覧用アプリケーションを受信した携帯端末での閲覧操作に応じて、該文書閲覧用アプリケーションから閲覧要求される閲覧用画像データを送信することを特徴としている。
【００２１】
請求項６に係る発明は、文書データを該文書データの識別情報に関連付けて管理する文書データ管理手段と、携帯端末が閲覧可能なウェブページであって、前記文書データ管理手段で管理されている文書データの識別情報及びドキュメント変換サーバへの接続情報を含む文書リンクが埋め込まれたウェブページを提供するウェブページ提供手段とを備えた、複数のウェブサーバと通信する前記ドキュメント変換サーバであって、該ドキュメント変換サーバは、文書データを閲覧用画像データに変換するための変換情報を携帯端末の機種毎に管理する変換情報管理手段と、前記携帯端末から所定のウェブページを介して前記ウェブサーバで管理されている文書データに対する閲覧要求があると、該携帯端末の機種情報を受信するとともに、前記閲覧要求のあった文書データの識別情報を受信する手段と、前記受信した文書データの識別情報に基づいて前記文書データを管理している前記ウェブサーバから対応する閲覧用文書データを取得する文書データ取得手段と、前記受信した携帯端末の機種情報に基づいて前記変換情報管理手段から対応する変換情報を読み出し、読み出した変換情報に基づいて前記取得した文書データを前記携帯端末での閲覧用画像データに変換する文書データ変換手段と、前記変換した閲覧用画像データを前記携帯端末に送信する画像データ送信手段と、携帯端末の機種毎に文書閲覧用アプリケーションを管理する文書閲覧用アプリケーション管理手段と、前記受信した携帯端末の機種情報に基づいて前記文書閲覧用アプリケーション管理手段から対応する文書閲覧用アプリケーションを読み出して前記携帯端末に送信する文書閲覧用アプリケーション送信手段と、を備え、前記画像データ送信手段は、前記文書閲覧用アプリケーションを受信した携帯端末での閲覧操作に応じて、該文書閲覧用アプリケーションから閲覧要求される閲覧用画像データを送信することを特徴としている。
【００２２】
請求項４から６に係るドキュメント変換サーバは、それぞれ請求項１から３に係る発明
（文書閲覧システム）中のドキュメント変換サーバに対応するものである。
【発明の効果】
【００２４】
本発明によれば、携帯電話等の携帯端末による文書データの閲覧要求があると、閲覧要求された画像データをその携帯端末に最適化した閲覧用画像データに変換して送信するようにしたため、Word、PDFなどの文書を開くことができない携帯端末に対して、種々の形式の文書を閲覧させることができる。
【図面の簡単な説明】
【００２５】
【図１】本発明に係る文書閲覧システムの全体構成の一例を示す図
【図２】図１中に示した各番号に該当する処理内容を示す図表
【図３】本発明に係る文書閲覧システムの第１の実施形態を示すフローチャート
【図４】ドキュメント変換サーバのデータベース構成について示す図
【図５】本発明に係る文書閲覧システムの第３の実施形態を示すフローチャート
【発明を実施するための形態】
【００２６】
以下、添付図面に従って本発明に係る文書閲覧システム及びドキュメント変換サーバの実施の形態について説明する。
【００２７】
＜第１の実施形態＞
図１は本実施形態における文書閲覧システム１０の全体構成の一例を示す図であり、図２は図１中に示した各番号に該当する処理内容を示す図表である。
【００２８】
図１に示すように文書閲覧システム１０は、主としてインターネット上に存在するウェブサーバ(Webサーバ）１００とドキュメント変換サーバ２００とから構成され、ユーザが使用する携帯電話等の携帯端末２０との間で携帯ネットワーク、及びインターネットを通じて通信ができるようになっている。
【００２９】
Webサーバ１００は、通信部１１０、処理部１２０、及びストレージ１３０を備えている。通信部１１０は、HTTP(Hypertext Transfer Protocol)による通信を行う通信部分である。ストレージ１３０は、HTML文書、Word、PDF等の文書ファイル、画像ファイルなどの情報を保存管理する部分である。
【００３０】
処理部１２０は、Webサーバ１００内の各部を統括、制御するもので、通信部１１０を介して携帯用のHTML文書（Webページ）やＰＣ用のHTML文書を提供し、また、携帯端末２０、ドキュメント変換サーバ２００からの要求に対し、ストレージ１３０で管理されている各種の情報を提供（閲覧やダウンロード等）し、また、後述するように携帯端末２０の機種情報等の必要な情報を送信する。
【００３１】
ドキュメント変換サーバ２００は、通信部２１０、処理部２２０、文書データ変換部２３０、文書データ閲覧用アプリケーション管理部２４０、データアクセス部２５０及びストレージ２６０を備えている。
【００３２】
通信部２１０は、HTTP通信により携帯端末２０及びWebサーバ１００との間で通信を行う部分であり、この実施の形態では、Webサーバ１００から通信先の携帯端末２０の機種情報と携帯端末２０にて閲覧要求された文書データとを受信し、また、後述する変換後の閲覧用画像データ等を携帯端末２０に送信する。
【００３３】
ストレージ２６０は、携帯端末の機種毎に文書データを閲覧用画像データに変換するための変換情報等を保存管理し、また、変換された閲覧用画像データを保存する部分である。
【００３４】
文書データ変換部２３０は、Webサーバ１００から取得したWord、PDF等の文書ファイルの文書データをJPEG、GIF、PING、BMP等の画像データ（閲覧用画像データ）に変換する部分であり、閲覧要求した通信相手の携帯端末２０の機種に応じてその携帯端末２０に最適化した閲覧用画像データに変換する。
【００３５】
処理部２２０は、ドキュメント変換サーバ２００内の各部を統括、制御するもので、通信部２１０を介してWebサーバ１００から携帯端末２０の機種情報及び文書データを取得し、また、変換後の閲覧用画像データ等を通信部２１０を介して携帯端末２０に送信する。
【００３６】
尚、図１においては、携帯端末２０、Webサーバ１００は１つだけ記載されているが、これらは複数存在し、それぞれドキュメント変換サーバ２００と個別に通信が可能である。
【００３７】
次に、このように構成された文書閲覧システム１０の動作について、図３に示すフローチャートにしたがって説明する。
【００３８】
ユーザは、携帯端末２０の図示しない操作部を用いて、所望のHTML文書（Webページ）の閲覧を要求する（ステップＳ１０）。Webサーバ１００は、閲覧要求されたHTML文書を携帯端末２０に送信する（ステップＳ２０）。
【００３９】
ユーザは、Webサーバ１００から送信されたHTML文書を携帯端末２０のブラウザで閲覧する（ステップＳ１１）。ここで、ユーザが閲覧しているHTML文書内の文書リンクをクリック（文書選択）すると（ステップＳ１２）、文書リンクに埋め込まれている文書閲覧要求がWebサーバ１００に送信される。文書閲覧要求には、取得すべき文書ファイルの識別情報が含まれている。
【００４０】
文書閲覧要求を受信したWebサーバ１００は、送信元の携帯端末２０の機種情報を判別取得し（ステップＳ２１）、また、文書ファイルの識別情報に基づいて対応する文書ファイルをストレージ１３０から読み出し、この文書ファイル及び前記機種情報を含む文書閲覧要求をドキュメント変換サーバ２００に送信する（ステップＳ２２）。尚、ドキュメント変換サーバ２００に送信される文書閲覧要求には、閲覧要求した携帯端末２０の送信元アドレスが含まれている。
【００４１】
前記文書閲覧要求を受信したドキュメント変換サーバ２００は、閲覧要求された文書ファイルの文書データから携帯端末２０での閲覧に最適化した閲覧用画像データを生成する（ステップＳ３０）。
【００４２】
即ち、ドキュメント変換サーバ２００の処理部２２０は、通信部２１０を介して取得した携帯端末２０の機種情報に基づいてデータアクセス部２５０を介してストレージ２６０から文書データを閲覧用画像データに変換するための変換情報等を読み出し、この変換情報とともに文書データを含む文書データ変換要求を文書データ変換部２３０に渡す。文書データ変換部２３０は、文書データ変換要求に応じて文書データを携帯端末用に最適化した閲覧用画像データに変換する。これは、携帯端末の機種に応じて再生可能な画像データの種類（JPEG、GIF、PING、BMP等）が異なり、また、携帯端末のキャリアの種類、携帯端末の画面サイズ、容量制限、処理能力等が異なるため、閲覧要求した携帯端末の機種に対応した変換情報を使用することで、その携帯端末に最適化した閲覧用画像データを生成している。
【００４３】
上記のようにして生成された閲覧用画像データは、データアクセス部２５０を介してストレージ２６０に保存される。このとき、図４に示すように携帯端末の機種情報に関連づけてデータベースの閲覧用データ管理場所に閲覧用画像データを保存する。このように携帯端末の機種に応じた管理場所に閲覧用画像データを保存するため、同機種の携帯端末から同じ文書の閲覧要求があった場合には、閲覧用画像の生成を行わずに、この管理場所に保存されている閲覧用画像データを使用することができる。
【００４４】
また、図４に示すようにストレージ２６０には、携帯電話の機種情報に関連付けられて文書閲覧用アプリケーションのダウンロード元、及び閲覧用画像データの管理場所が管理されており、前記処理部２２０は、携帯端末の機種情報に対応する文書閲覧用アプリケーションのダウンロード元の情報に基づいてその携帯端末用の文書閲覧用アプリケーションを取得する。文書閲覧用アプリケーションは、携帯端末のキャリア毎に異なるからである。また、処理部２２０は、読み出した文書閲覧用アプリケーションの該当文書閲覧用の制御情報を生成する。
【００４５】
そして、処理部２２０は、前記文書閲覧用アプリケーションとともに、アプリケーション制御情報及び閲覧用画像データを示す文書情報（閲覧用画像データの管理場所の情報）を携帯端末２０に送信する（ステップＳ３１）。
【００４６】
携帯端末２０は、この文書閲覧用アプリケーションを受信し（ステップＳ１３）、受信後すぐに文書閲覧用アプリケーションを起動する（ステップＳ１４）。更に起動された文書閲覧用アプリケーションからアプリケーションに付加された文書情報をドキュメント変換サーバ２００に送信し、閲覧用画像データを要求する（ステップＳ１５）。
【００４７】
この文書情報を取得したドキュメント変換サーバ２００は、該当する閲覧用画像データストレージ２６０から取得する（ステップＳ３２）。
【００４８】
この取得した閲覧用画像データからドキュメント変換サーバ２４は、まず、文書データの１ページ目を携帯端末２０に表示させるための閲覧用画像を生成し（ステップＳ３３）、この１ページ目の閲覧用画像を携帯端末２０へ送信する（ステップＳ３４）。
【００４９】
この閲覧用画像を受信した携帯端末２０は、文書閲覧アプリケーションを用いてこの閲覧用画像を図示しない表示部に表示する（ステップＳ１６）。携帯端末２０は、Wordファイル、PDFファイル等の文書ファイルの文書の表示はできないが、表示可能な形式の閲覧用画像（JPEG画像等）が送られてくるため、文書閲覧用アプリケーションにより表示部に表示することが可能である。
【００５０】
その後、携帯端末２０でのユーザによる文書閲覧操作（ページ送り、拡大／縮小、スクロール、回転等）に応じて文書閲覧用アプリケーションから閲覧用画像の要求があると、ドキュメント変換サーバ２００は対応する閲覧用画像を生成し、これを再び携帯端末２０に送信する（ステップＳ３３、Ｓ３４）。
【００５１】
携帯端末２０の表示部の画面は小さいため、文書の１ページ全体を表示しても文字を読み取ることができない場合がある。この場合、携帯端末２０側で閲覧用画像の拡大処理を行うと、閲覧用画像の画質が低下するため、ドキュメント変換サーバ２００は、携帯端末２０での文書閲覧操作により文書閲覧用アプリケーションから拡大等の閲覧要求を受信すると、その閲覧要求に対応する閲覧用画像を生成して携帯端末２０に送信するようにしている。
【００５２】
このように、携帯端末２０での１画面の表示に必要な閲覧用画像だけを送受信することにより、閲覧用画像の通信量を少なくすることができ、ドキュメント変換サーバ２００の負荷を軽減することができる。尚、ドキュメント変換サーバ２４は、文書ファイルの全ページ分の詳細な閲覧用画像をまとめて携帯端末２０に送信してもよい。
【００５３】
文書閲覧アプリケーションは、閲覧用画像をページ単位で管理、閲覧可能に構成されており、ユーザは、ＰＣで文書ファイルを閲覧するのと同様に、閲覧用画像をページ毎にページ順に閲覧することが可能である。
【００５４】
更に、この文書閲覧アプリケーションは、閲覧した画像を携帯端末２０内に保存させない機能を備えており、閲覧画像についてのセキュリティを確保している。即ち、表示用のメモリに記憶された閲覧画像は、閲覧（表示）を終了すると共に消去され、携帯端末２０内に残ることがなく、特にイントラネットの社内のWebサーバの文書データを閲覧する場合に有効である。尚、誰でもアクセスできるインターネット上のWebサーバの文書データを閲覧する場合には、セキュリティについての問題は考える必要が無いため、メモリから消去しなくてもよい。
【００５５】
このように、HTML文書内に携帯端末から閲覧できないWordファイル、PDFファイルの文書リンクが存在する場合であっても、その文書リンクが選択された場合には文書ファイルを画像に変換して携帯端末に送信することで、携帯端末においてこれらの文書ファイルを開いたのと同様に文書閲覧することが可能となる。
【００５６】
尚、本実施形態では、Webサーバ１００は、携帯用のHTML文書（Webページ）、ＰＣ用のHTML文書を提供しているが、これに限らず、ＰＣ用のHTML文書のみを提供し、Webサーバ１００がHTML文書から文書閲覧を要求している端末が、携帯端末かＰＣかを判別して、その後の処理を切り替えるようにしてもよい。また、本実施形態では、要求されたWebページがHTML文書である場合について説明したが、ＸＭＬ、ＳＭＬ等のコンテンツファイルであっても本発明を適用することが可能である。
【００５７】
＜第２の実施形態＞
第２の実施形態の文書閲覧システムは、図１に示した第１の実施形態のものと装置構成は同様であるが、処理手順等が相違する。
【００５８】
即ち、第１の実施形態では、携帯端末２０から文書閲覧の要求があると、その都度、Webサーバ１００から文書ファイル（機種情報付きの文書ファイル）をドキュメント変換サーバ２００に送信するようにしたが、第２の実施形態の文書閲覧システムでは、Webサーバ１００は、予めWebサーバ１００側で管理している文書ファイルをドキュメント変換サーバ２００に送信し、ドキュメント変換サーバ２００は、受信した各文書ファイルの文書データを携帯端末の機種毎に閲覧用画像データに変換し、これらの閲覧用画像データを携帯端末の機種情報及び文書ファイルの識別情報に関連付けてストレージ２６０に保存管理する。
【００５９】
そして、携帯端末２０から文書閲覧の要求があると、Webサーバ１００は、携帯端末２０の機種情報、文書ファイルの識別情報をドキュメント変換サーバ２００に送信する。ドキュメント変換サーバ２００は、受信した携帯端末２０の機種情報及び文書ファイルの識別情報に基づいてストレージ２６０から対応する閲覧用画像データを読み出す。尚、その他の処理は、第１の実施形態と同様に行われる。
【００６０】
＜第３の実施形態＞
第３の実施形態の文書閲覧システムは、図１に示した第１の実施形態のものと装置構成は同様であるが、処理手順等が相違する。
【００６１】
まず、第３の実施形態の文書閲覧システムのWebサーバ１００は、携帯用のHTML文書、ＰＣ用のHTML文書を提供しているが、携帯用のHTML文書上の文書リンクには、ドキュメント変換サーバ２００にジャンプするための接続情報（ＵＲＬ：Uniform Resource Locator）が埋め込まれている。
【００６２】
従って、携帯端末２０から文書閲覧の要求があると、直接、ドキュメント変換サーバ２００にジャンプする。ドキュメント変換サーバ２００は、この携帯端末２０から携帯端末の機種情報、文書ファイルの識別情報、及び送信元アドレス等を取得する。そして、文書ファイルの識別情報に基づいて対応する文書ファイルを、Webサーバ１００からダウンロードする。
【００６３】
文書ファイルのダウンロード後の閲覧用画像データの生成、及び携帯端末２０への送信等の処理は、第１の実施形態と同様に行われる。
【００６４】
図５は第３の実施形態の文書閲覧システムの処理を示すフローチャートである。尚、図３に示した第１の実施形態と共通する部分には同一のステップ番号を付し、その詳細な説明は省略する。
【００６５】
Webサーバ１００は、閲覧要求されたHTML文書を携帯端末２０に送信するが、前述したように携帯用のHTML文書上の文書リンクには、ドキュメント変換サーバ２００にジャンプするための接続情報（ＵＲＬ）が埋め込まれている（ステップＳ２０’）。
【００６６】
ユーザが閲覧しているHTML文書内の文書リンクをクリックすると（ステップＳ１２）、文書リンクに埋め込まれているＵＲＬによりドキュメント変換サーバ２００にジャンプし、文書閲覧要求（機種情報を含む）が直接、ドキュメント変換サーバ２００に送信される。文書閲覧要求には、取得すべき文書ファイルの識別情報が含まれている。
【００６７】
文書閲覧要求を受信したドキュメント変換サーバ２００は、送信元の携帯端末２０の機種情報、及び閲覧要求された文書ファイルの識別情報を取得する（ステップＳ３５）。続いて、文書ファイルの識別情報に基づいて対応する文書ファイルをWebサーバ１００に要求し（ステップＳ３６）、Webサーバ１００は要求された文書ファイルをストレージ１３０から抽出し、ドキュメント変換サーバ２００に送信する（ステップＳ２３）する。
【００６８】
文書ファイルをダウンロードしたドキュメント変換サーバ２００は、その文書ファイルの文書データから携帯端末２０での閲覧に最適化した閲覧用画像データを生成する（ステップＳ３０）。
【００６９】
その後の処理は、第１の実施形態と同様に行われ、ドキュメント変換サーバ２００からは携帯端末２０に最適化した閲覧用画像データの送信が行われる。
【００７０】
尚、この実施形態では、Webサーバ１００とドキュメント変換サーバ２００とは、それぞれ別々のサーバであるが、両者を一体化したものでもよい。
【００７１】
また、本発明は上述した実施の形態に限定されず、本発明の精神を逸脱しない範囲で種々の変形が可能であることは言うまでもない。
【符号の説明】
【００７２】
１０…文書閲覧システム、２０…携帯端末（携帯電話）、１００…Webサーバ、１１０、２１０…通信部、１２０、２２０…処理部、１３０、２６０…ストレージ、２３０…文書データ変換部、２４０…文書データ閲覧用アプリケーション管理部、２５０…データアクセス部２５０
【図１】
0005530217.tif 000002
【図２】
0005530217.tif 000003
【図３】
0005530217.tif 000004
【図４】
0005530217.tif 000005
【図５】
0005530217.tif 000006